(57)【要約】      （修正有）【課題】リングファイルとともに用いるに好適なシート押さえ部材を提供する。【解決手段】シートを押さえる本体に綴じ桿６を挿入可能な開口５１、５２を設けてなり、前記開口に、綴じ桿の対向方向に沿って両側よりこれら綴じ桿の各外側面に臨む一対の縁部たる外方縁部５１３、５２１を設定し、該外方縁部の第一の開口５１の外方縁部５１３に、第二の開口５２の外方縁部５２１からの離間距離が綴じ桿の外法寸法よりも大きくなる開放領域と、離間距離が外法寸法と略同一または小さくなる挟圧領域とを形成して、前記本体の少なくとも一端を綴じ桿に対し前記対向方向に交わる方向に変位させることで、前記開放領域を綴じ桿に臨ませ本体の綴じ桿の軸心に沿った移動を許容する可動状態と、挟圧領域を綴じ桿に密接させ両外方縁部で前記各外側面を両側より挟み付けて前記移動を抑制する固定状態とを切り替えることができるシート押さえ部材５を構成した。【選択図】図７
2005022110.tif 000002
【特許請求の範囲】
【請求項１】
対向する複数の綴じ桿を具備する綴じ具に綴じ止められるシートを押さえるためのものであって、
前記シートを押さえる本体に前記複数の綴じ桿を挿入可能な開口を設けてなり、前記開口に、前記複数の綴じ桿の対向方向に沿って両側よりこれら綴じ桿の各外側面に臨む一対の縁部を設定し、
該縁部に、前記一対の縁部の縁部間距離が前記綴じ桿の外法寸法よりも大きくなる開放領域と、縁部間距離が前記外法寸法と略同一または前記外法寸法よりも小さくなる挟圧領域とを形成して、
前記本体の少なくとも一端を前記綴じ桿に対し前記対向方向に交わる方向に変位させることで、前記開放領域を綴じ桿に臨ませ本体の綴じ桿の軸心に沿った移動を許容する可動状態と、前記挟圧領域を綴じ桿に密接させ前記一対の縁部で前記各外側面を両側より挟み付けて前記移動を抑制する固定状態とを切り替えできるように構成したシート押さえ部材。
【請求項２】
前記綴じ桿は、第一のリング片と、第二のリング片とを有し、これらリング片の両先端部間を閉じることで前記シートを綴じることができるものであり、
前記開口には、前記第一のリング片を挿入し、
前記可動状態から前記固定状態に切り替えようとするときに前記本体の少なくとも一端を前記第一のリング片に対し変位させる方向が、第一のリング片の先端部を前記第二のリング片の先端部に近づける方向に略対応している請求項１記載のシート押さえ部材。
【請求項３】
前記両先端部の係合は、前記複数の綴じ桿における前記第二のリング片を相互に接近させる力を付与することで、または、前記複数の綴じ桿における前記第一のリング片を相互に離間させる力を付与することで解除されるものであって、
前記本体が前記固定状態にあるときに前記一対の縁部が挟み付ける前記複数の綴じ桿に加わる力を、前記両先端部の係合を強めるために利用できる請求項２記載のシート押さえ部材。
【請求項４】
前記本体に前記複数の綴じ桿の一方を挿入可能な第一の開口と他方を挿入可能な第二の開口とを設け、第一の開口の外方縁部及び第二の開口の外方縁部を前記一対の縁部に設定して、
前記第二の開口に挿入した綴じ桿を軸として前記本体の一端を回転操作可能とし、かつ、前記第一の開口の外方縁部に前記開放領域及び前記挟圧領域を形成している請求項１、２又は３記載のシート押さえ部材。
【請求項５】
前記本体に前記複数の綴じ桿の一方を挿入可能な第一の開口と他方を挿入可能な第二の開口とを設け、第一の開口の外方縁部及び第二の開口の外方縁部を前記一対の縁部に設定して、
前記本体の両端を前記綴じ桿に対しスライド操作可能とし、かつ、前記第一の開口及び前記第二の開口の外方縁部にそれぞれ前記開放領域及び前記挟圧領域を形成している請求項１、２又は３記載のシート押さえ部材。
【請求項６】
請求項１、２、３、４又は５記載のシート押さえ部材と対向する複数の綴じ桿とを具備し、
前記綴じ桿にシートを綴じることができ、かつ綴じ桿に綴じたシートを前記シート押さえ部材で押さえることができる綴じ具。
【請求項７】
請求項１、２、３、４又は５記載のシート押さえ部材と対向する複数の綴じ桿とを具備する綴じ具を表紙体に取り付けてなり、
前記綴じ桿にシートを綴じることができ、かつ綴じ桿に綴じたシートを前記シート押さえ部材で押さえることができるファイル。
【発明の詳細な説明】
【０００１】
【発明の属する技術分野】
本発明は、綴じ具に綴じ止められたシートを押さえるためのシート押さえ部材に関する。
【０００２】
【従来の技術】
紙葉類、リフィル（替え用紙）、仕切紙、クリアポケットその他種々のシート状をなすものを綴じるためのファイルは広範に流通している。そのうち、開閉可能な環状の綴じ桿を具備する綴じ具を表紙体に取り付けたいわゆるリングファイルとして、例えば下記特許文献１に示されているようなものが既知である。該リングファイルは、所定寸法離間させて配置した一対の綴じ桿を有する。各綴じ桿は二個一組のリング片を要素として構成され、これらリング片の両先端部間を開閉することが可能となっている。また、綴じ桿を開閉するにあたり、一対の綴じ桿における一方のリング片を指で摘んでこれらを相互に接近させることで、リング片の両先端部を係合させまたは両先端部の係合を解除させ得るようになっている。
【０００３】
リングファイルには、綴じ止めたシートを押さえておくための部材が付帯していることが多い。典型的なシート押さえ部材は、例えば下記特許文献２に示されるように、対向して配置された一対の綴じ桿のそれぞれを挿入可能な溝が形成されている板状体である。これらの溝は綴じ桿の対向方向に沿って延伸し、その一端が相対的に幅狭となっている。そして、綴じ桿の対向方向に沿ってスライド操作することで、溝の幅狭部と該溝に挿入された綴じ桿とを緊密に係合させて綴じ桿に対して固定することができる。
【０００４】
【特許文献１】特開２００２−１７８６７８号公報
【特許文献２】特開平８−１８３２８２号公報
【０００５】
【発明が解決しようとする課題】
しかしながら、このようなシート押さえ部材を上記例の如きリングファイルに適用する場合、リング片の両先端部の係合を解除するためにリング片に加えるべき力の方向とシート押さえ部材をリング片に対してスライドさせる方向とが一致することとなる。従って、シート押さえ部材を固定したり、逆に固定したシート押さえ部材を再び動かしたりする際に、リング片の両先端部の係合が解除されて綴じ桿が不用意に開いてしまうおそれがある。加えて、綴じ桿に固定したはずのシート押さえ部材の一端側が他端側に対して上下動し、シート押さえ部材が傾斜してシートを押さえる働きを低減させてしまう可能性も否定できない。
【０００６】
【課題を解決するための手段】
以上の課題を解決すべく、本発明に係るシート押さえ部材では、対向する複数の綴じ桿を具備する綴じ具に綴じ止められるシートを押さえるためのものであって、前記シートを押さえる本体に前記複数の綴じ桿を挿入可能な開口を設けてなり、前記開口に、前記複数の綴じ桿の対向方向に沿って両側よりこれら綴じ桿の各外側面に臨む一対の縁部を設定し、該縁部に、前記一対の縁部の縁部間距離が前記綴じ桿の外法寸法よりも大きくなる開放領域と、縁部間距離が前記外法寸法と略同一または前記外法寸法よりも小さくなる挟圧領域とを形成して、前記本体の少なくとも一端を前記綴じ桿に対し前記対向方向に交わる方向に変位させることで、前記開放領域を綴じ桿に臨ませ本体の綴じ桿の軸心に沿った移動を許容する可動状態と、前記挟圧領域を綴じ桿に密接させ前記一対の縁部で前記各外側面を両側より挟み付けて前記移動を抑制する固定状態とを切り替えできるようにした。
【０００７】
このようなものであれば、綴じ桿の対向方向に沿ってスライド操作する必要がなくなる。その結果、シート押さえ部材を固定したり再び動かしたりする際にリング片の両先端部の係合が不用意に解除されるおそれをなくすことができる。かつ、前記一対の縁部で複数の綴じ桿の各外側面を挟み付けた状態で固定されるため、シート押さえ部材の一端側が他端側に対して上下動してしまうことを防止し得る。
【０００８】
さらに、前記綴じ桿が、第一のリング片と第二のリング片とを有し、これらリング片の両先端部間を閉じることで前記シートを綴じることができるものであって、前記開口には前記第一のリング片を挿入する構成とするとともに、前記可動状態から前記固定状態に切り替えようとするときに前記本体の少なくとも一端を前記第一のリング片に対し変位させる方向が、第一のリング片の先端部を前記第二のリング片の先端部に近づける方向に略対応しているならば、シート押さえ部材を固定しようとするときに該シート押さえ部材から第一のリング片に加わる外力によって第一のリング片の先端部が第二のリング片の先端部より脱離してしまうようなことがない。
【０００９】
加えて、前記両先端部の係合は、前記複数の綴じ桿における前記第二のリング片を相互に接近させる力を付与することで、または、前記複数の綴じ桿における前記第一のリング片を相互に離間させる力を付与することで解除されるものであって、前記本体が前記固定状態にあるときに前記一対の縁部が挟み付ける前記複数の綴じ桿に加わる力を、前記両先端部の係合を強めるために利用できるものであればより好ましい。このときのシート押さえ部材は、綴じ桿に綴じられたシートを押さえる機能のみならず、綴じ桿の両リング片を閉じた状態にロックする機能をも営む。
【００１０】
前記本体に前記複数の綴じ桿の一方を挿入可能な第一の開口と他方を挿入可能な第二の開口とを設け、第一の開口の外方縁部及び第二の開口の外方縁部を前記一対の縁部に設定して、前記第二の開口に挿入した綴じ桿を軸として前記本体の一端を回転操作可能とし、かつ、前記第一の開口の外方縁部に前記開放領域及び前記挟圧領域を形成するならば、本体の一端側を片手で把持して操作できる簡便なものとなる。
【００１１】
あるいは、前記本体に前記複数の綴じ桿の一方を挿入可能な第一の開口と他方を挿入可能な第二の開口とを設け、第一の開口の外方縁部及び第二の開口の外方縁部を前記一対の縁部に設定して、前記本体の両端を前記綴じ桿に対しスライド操作可能とし、かつ、前記第一の開口及び前記第二の開口の外方縁部にそれぞれ前記開放領域及び前記挟圧領域を形成してもよい。
【００１２】
そして、上記のシート押さえ部材と対向する複数の綴じ桿とを具備し、前記綴じ桿にシートを綴じることができ、かつ綴じ桿に綴じたシートを前記シート押さえ部材で押さえることができる綴じ具、または、上記のシート押さえ部材と対向する複数の綴じ桿とを具備する綴じ具を表紙体に取り付けてなり、前記綴じ桿にシートを綴じることができ、かつ綴じ桿に綴じたシートを前記シート押さえ部材で押さえることができるファイルを構成するならば、複数枚のシートを綴じ止めるために特に適したものとなる。
【００１３】
【発明の実施の形態】
以下、本発明の一実施形態を、図面を参照して説明する。図１に示すものは、本実施形態におけるファイルＦである。該ファイルＦは、中間に背表紙１１を介して連なる表表紙１２及び裏表紙１３を有する表紙体１と、表紙体１の内向面（図示例では、裏表紙１３の内向面における背表紙１２寄りの側部）に取り付けられる綴じ具Ｔとを備えるものである。
【００１４】
綴じ具Ｔは、図２等に示すように、背表紙１１の長手方向に延伸し、リベット等を用いて表紙体１の内向面に固定されるベース２と、ベース２の背表紙１２側の端部にそれぞれ支持される一対の第一のリング片３、３と、ベース２の反背表紙１２側の端部にそれぞれ支持されるとともに、前記第一のリング片３、３の先端部３１に係わり合ってベース２とともに閉ループを形成する一対の第二のリング片４、４とを具備する。第一のリング片３、３及び第二のリング片４、４は、シートＳを綴じる綴じ桿６、６を構成する要素となる。本実施形態では、対向する一対の綴じ桿６、６を、背表紙１１の長手方向に沿って配列してある。そして、綴じ桿６、６に、シート押さえ部材５が装着される。
【００１５】
前記ベース２は、図３の断面図に示すように、表紙体１に固定した状態で外面に露出するカバー２１と、カバー２１により隠蔽される連結部材２２とより構成されている。カバー２１は、例えば薄肉のステンレス材を用いてなり、下方即ち表紙体１の側へ向けて開口している。カバー２１の上壁は、中央部が最大高さとなる湾曲形状をなす。カバー２１の両側端には、長手方向に亘って内側方に向けて略水平に折り曲げられた一対の突片２１ｃ、２１ｃが存在する。カバー２１の一方の側部には、第一のリング片３、３を通過させるための一対のスロット穴２１ａ、２１ａが所定距離離間させて形成され、他方の側部には、前記スロット穴２１ａ、２１ａに対応付けて第二のリング片４、４を通過させるための一対のスロット穴２１ｂ、２１ｂが形成されている。これらスロット穴２１ａ、２１ｂにより、第一のリング片３、３及び第二のリング片４、４の回転角度を大きく確保し得る。
【００１６】
連結部材２２は、第一のリング片３、３を支持する第一連結板２２ａと第二のリング片４を支持する第二連結板２２ｂとを組み合わせてなる。第一連結板２２ａ及び第二連結板２２ｂは、ともに細長い矩形状をなすもので、前記カバー２１よりも厚みのある金属板にて成形される。
【００１７】
第一のリング片３、３及び第二のリング片４、４は、その基端部がそれぞれ前記第一連結板２２ａ、前記第二連結板２２ｂに固定されている。そして、第一のリング片３、３及び第二のリング片４、４の両先端部３１、３１、４１、４１には、係脱可能に構成された係合部６１、６１が設けられている。該係合部６１、６１は、第一のリング片３、３に形成された鉤状部３２、３２と、第二のリング片４、４に形成された鉤状部４２、４２とを構成要素とする。第一のリング片３、３の先端部３１、３１に形成された鉤状部３２、３２は、一対の綴じ桿６、６の対向方向に沿って内向きに突出する鉤爪を有し、第二のリング片４、４の先端部４１、４１に形成された鉤状部４２、４２は、一対の綴じ桿６、６の対向方向に沿って外向きに突出する鉤爪を有する。これら鉤状部３２、３２、４２、４２が相互に係わり合うことにより、第一のリング片３、３の先端部３１、３１と第二のリング片４、４の先端部４１、４１とが連結されて閉じる。両先端部３１、３１、４１、４１が閉じることで、図４に示すように第一のリング片３、３及び第二のリング片４、４はベース２とともに閉ループを構成し、シートＳを綴じることができる閉塞状態となる。第一のリング片３、３及び第二のリング片４、４は、断面略楕円形状の線材を曲げることによって形作られる。本実施形態では、第一のリング片３、３は略コ字型に形成され、第二のリング片４、４は略半円弧状に形成される。第一のリング片３、３の、スロット穴２１ａ、２１ａを経由してベース２より突出している部位は、ちょうど逆Ｌ字型をなしている。
【００１８】
カバー２１の両側端に設けられ内側方に折り曲げられた突片２１ｃ、２１ｃに保持される第一連結板２２ａ及び第二連結板２２ｂは、この突片２１ｃ、２１ｃとカバー２１の上壁とで挟み込まれかしめられることで、カバー２１とともに一体のベース２を構成する。このとき、カバー２１と第一連結板２２ａ及び第二連結板２２ｂとの間に内部空間が形成される。内部空間において、第一連結板２２ａ及び第二連結板２２ｂは、その取り得る姿勢が規制されている。そして、第一のリング片３、３の先端部３１、３１と第二のリング片４、４の先端部４１、４１とが係合して閉塞状態となる場合の第一連結板２２ａ及び第二連結板２２ｂは、これら両連結板２２ａ、２２ｂの境界部分を谷折り線として若干屈曲した谷形の姿勢となる。この状態を、図３に示している。一方で、第一のリング片３、３の先端部３１、３１と第二のリング片４、４の先端部４１、４１との係合が解除されて拡開状態となる場合の第一連結板２２ａ及び第二連結板２２ｂは、これら両連結板２２、２２ｂの境界部分を山折り線として上方に屈曲した山形の姿勢となる（図示せず）。上記の第一連結板２２ａ、第二連結板２２ｂの姿勢変更は、第一のリング片３、３、第二のリング片４、４に対する外的な開放操作に伴い惹起されるが、第一連結板２２ａ及び第二連結板２２ｂは直接カバー２１に固定されているため、操作力はカバー２１に直接的に伝達されることとなる。よって、湾曲形状をなすカバー２１の上壁は、第一連結板２２ａ及び第二連結板２２ｂの姿勢変更時に押し広げられて僅かに外側方へ弾性変形することとなり、第一のリング片３、３及び第二のリング片４、４が拡開状態となる方向、即ち閉塞状態が解除される方向に常に作用力を蓄積して板バネとして機能する。
【００１９】
なお、第一のリング片３、３及び第二のリング片４、４がベース２と共に閉ループを形成する閉塞状態から、この閉ループを解除した拡開状態とするには、一対の綴じ桿６、６におけるそれぞれの第二のリング片４、４に例えば親指と人差し指とを跨ぐように掛け、両指を相互に接近させる方向（図２上の矢印Ｐ方向）に操作力を付与すればよい。この操作により、一対の第二のリング片４、４が相互に接近する方向に変位して係合部６１、６１における係合が解除される。そして、カバー２１に蓄積された作用力が第一連結板２２ａ及び第二連結板２２ｂを谷形から山形へ姿勢変更させる力に変換されて、第一のリング片３、３と第二のリング片４、４とが自動的に相対回転して図５に示す拡開状態に至る。但し、一対の綴じ桿６、６におけるそれぞれの第一のリング片３、３を相互に離間させる操作によって係合部６１、６１における係合が解除されるものとすることを妨げない。
【００２０】
逆に、第一のリング片３、３及び第二のリング片４、４を拡開状態から閉塞状態に戻す場合は、前記カバー２１に蓄積された作用力に抗して対応する位置にある第一のリング片３、３及び第二のリング片４、４を相互に接近させるように回転操作すればよい。これにより、係合部６１、６１における第一のリング片３、３に形成された内向きの鈎状部３２、３２と第二のリング片４、４に形成された内向きの鈎状部４２、４２とが相互に滑りながら係わり合い、両リング片３、３、４、４による閉ループが形成される閉塞状態に至る。また、係合部６１、６１による第一のリング片３、３の先端部３１、３１と第二のリング片４、４の先端部４１、４１との係合の強さが、カバー２１の上壁が板バネとして蓄積しているバネ力を上回るため、第二のリング片４、４に対し閉塞状態から拡開状態にするための操作力を付与しない限り閉塞状態が維持されて、不用意な拡開状態を形成することがない。
【００２１】
続いて、シート押さえ部材５に関して詳述する。シート押さえ部材５は、例えば樹脂成形品であり、図６ないし図９に示すように、板状をなす本体に第一の開口５１及び第二の開口５２を形成したものである。本実施形態において、第二の開口５２は、厚み方向に本体を貫通し、本体の長手方向に沿って拡がる孔であって、綴じ桿６を挿入するために十分な寸法を有する。第一の開口５１は、厚み方向に本体を貫通し、本体の長手方向に交わる方向に延伸する長孔である。但し、第一の開口５１と第二の開口５２とが連通して（単一の大きな開口となって）いる態様を妨げない。
【００２２】
より具体的には、第一の開口５１は、綴じ桿６を挿入するために十分な寸法を有する孔部５１１と、該孔部５１１に連通する溝部５１２とを内包する。孔部５１１と第二の開口５２とは、本体の長手方向に略沿って対向する位置に設けられる。孔部５１１と第二の開口５２との離間距離は、一対の綴じ桿６、６の離間距離に略対応している。よって、一対の綴じ桿６、６における第一のリング片３、３を、孔部５１１及び第二の開口５２にそれぞれスムーズに挿入することができる。溝部５１２は、孔部５１１と第二の開口５２とを結ぶ線分に対して概ね直交するように、孔部５１１より延伸する。溝部５１２における第二の開口５２に近い側の縁部５１４は、略部分円弧状をなす。溝部５１２における第二の開口５２に遠い側の縁部５１２ａは、孔部５１１より遠ざかるにつれて第二の開口５２までの距離が徐々に小さくなるような湾曲形状をなす。
【００２３】
第一の開口５１及び第二の開口５２のそれぞれに第一のリング片３、３を挿入した状態で、第一の開口５１における第二の開口５２に遠い側の縁部５１３、及び第二の開口５２における第一の開口５１に遠い側の縁部５２１は、一対の綴じ桿６、６の対向方向に沿って外方にあり、両側より一対の第一のリング片３、３の各外側面に臨む。これらの外方縁部５１３、５２１のうち、第一の開口５１の側の外方縁部５１３は、孔部５１１の外方縁部５１１ａと溝部５１２の外方縁部５１２ａとを内包してなるものである。孔部５１１の外方縁部５１１ａと第二の開口５２の外方縁部との離間距離は、一対の綴じ桿６、６の外法寸法Ｌよりも大きい。よって、図８に示すように第一の開口５１の孔部５１１に一方の第一のリング片３が存在するときに、孔部５１１の外方縁部５１１ａと第二の開口５２の外方縁部５２１とが第一のリング片３、３を挟み付けることはない。つまり、孔部５１１における外方縁部５１１ａが、先に述べた開放領域Ｏに該当する。
【００２４】
第二の開口５２に挿入した第一のリング片３を軸として、本体の一端即ち第一の開口５１に近い側の端部を、第一のリング片３の軸心に略直交する（または、裏表紙１３に対して略平行な）平面上で回転操作することで、第一の開口５１に挿入した第一のリング片３を溝部５１２に導くことができる。この回転操作は、本体の一端を背表紙１１または第二のリング片４に近づけるような方向に行われる。しかして、回転操作を進めてゆくうち、溝部５１２の外方縁部５１２ａが一方の第一のリング片３に摺動して、所定の位置で図９に示すように溝部５１２の外方縁部５１２ａと第二の開口５２の外方縁部５２１とが第一のリング片３、３の各外側面を挟み付ける状況となる。このときに第一のリング片３、３に密接している溝部５１２の外方縁部５１２ａの所定部位と第二の開口５２の外方縁部との離間距離は、一対の綴じ桿６、６の外法寸法Ｌに略一致するか、一対の綴じ桿６、６の外法寸法Ｌよりも小さい。つまり、溝部５１２の外方縁部５１２ａにおける当該部位が、先に述べた挟圧領域Ｈに該当する。
【００２５】
総じて言えば、本体の一端を一対の綴じ桿６、６に対しその対向方向に交わる方向に変位させることによって、開放領域Ｏを綴じ桿６に臨ませた可動状態と、挟圧領域Ｈを綴じ桿６に密接させ一対の外方縁部５１３、５２１で綴じ桿６、６の各外側面を両側より挟み付けた固定状態とを選択的にとり得るものとなっている。可動状態にあるとき、第一の開口５１の孔部５１１及び第二の開口５２に一対の第一のリング片３、３のそれぞれが存在しており、シート押さえ部材５の本体を第一のリング片３、３の軸心に沿って移動させ本体と表紙体１またはベース２との距離を自由に変化させることが可能である。他方、固定状態にあるとき、第一の開口５１の外方縁部５１３の挟圧領域Ｈと第二の開口５２の外方縁部５２１とが一対の第一のリング片３、３を挟み付け、その反作用により本体の第一のリング片３、３の軸心に沿った移動が抑止される。さらにこのとき、一対の第一のリング片３、３には相互に接近する方向の力が加わることから、係合部６１、６１における第一のリング片３、３の先端部３１、３１と第二のリング片４、４の先端部４１、４１との係合はより強められる。
【００２６】
因みに、シート押さえ部材５の本体の上面には、テーパ面５３が形成されている。第一の開口５１の孔部５１１及び第二の開口５２の開口縁は、それぞれこのテーパ面５３上に露出している。テーパ面５３は、図３の断面図にも示しているように、第一のリング片３、３に綴じることが可能な量の限界に近い多数枚のシートＳを綴じ止めるような場合においてシート押さえ部材５の本体の下面とベース２との間の空隙を少しでも多く確保することができるという効用をもたらす。勿論、このようなテーパ面５３でなく、例えば孔部５１１及び第二の開口５２の開口縁を面取りしたり、これらの開口縁にＲを形成したりしても、同様の効果を得ることができる。
【００２７】
本実施形態によれば、シートＳを押さえる本体に前記複数の綴じ桿６、６を挿入可能な開口５１、５２を設けてなり、前記開口５１、５２に、前記複数の綴じ桿６、６の対向方向に沿って両側よりこれら綴じ桿６、６の各外側面に臨む一対の縁部たる外方縁部５１３、５２１を設定し、該外方縁部５１３、５２１の一方即ち第一の開口５１の外方縁部５１３に、他方即ち第二の開口５２の外方縁部５２１からの離間距離が一対の綴じ桿６、６の外法寸法Ｌよりも大きくなる開放領域Ｏと、前記離間距離が前記外法寸法Ｌと略同一または前記外法寸法Ｌよりも小さくなる挟圧領域Ｈとを形成して、前記本体の少なくとも一端を前記綴じ桿６に対し前記対向方向に交わる方向に変位させることで、前記開放領域Ｏを綴じ桿６に臨ませ本体の綴じ桿の軸心に沿った移動を許容する可動状態と、前記挟圧領域Ｈを綴じ桿６に密接させ両外方縁部５１３、５２１で前記各外側面を両側より挟み付けて前記移動を抑制する固定状態とを切り替えることができるシート押さえ部材５を構成したため、綴じ桿６、６の対向方向に沿ってスライド操作させなくともよいものとなり、シート押さえ部材５を固定したり再び動かしたりする際にリング片３、３、４、４の両先端部３１、３１、４１、４１の係合が不用意に解除されるおそれを回避できる。かつ、前記一対の縁部５３１、５２１で複数の綴じ桿６、６の各外側面を挟み付けた状態で固定されるため、シート押さえ部材５の一端側が他端側に対して上下動してしまうことを防止し得る。
【００２８】
さらに、前記綴じ桿６、６が、第一のリング片３、３と第二のリング片４、４とを有し、これらリング片３、３、４、４の両先端部３１、３１、４１、４１間を閉じることで前記シートＳを綴じることができるものであって、前記開口５１、５２には前記第一のリング片３、３を挿入する構成とするとともに、前記可動状態から前記固定状態に切り替えようとするときに前記本体の一端を前記第一のリング片３に対し変位させる方向が、第一のリング片３の先端部３１を前記第二のリング片４の先端部４１に近づける方向に略対応しているため、シート押さえ部材５を固定しようとするときに該シート押さえ部材５から第一のリング片３に加わる外力によって第一のリング片３の先端部３１が第二のリング片４の先端部４１より脱離してしまうようなことがない。
【００２９】
加えて、前記両先端部３１、３１、４１、４１の係合は、前記複数の綴じ桿６、６における前記第二のリング片４、４を相互に接近させる力を付与することで、または、前記複数の綴じ桿６、６における前記第一のリング片３、３を相互に離間させる力を付与することで解除されるものであって、前記本体が前記固定状態にあるときに前記両外方縁部５１３、５２１が挟み付ける前記複数の綴じ桿６、６に加わる力を、前記両先端部３１、３１、４１、４１の係合を強めるために利用できるものであるため、綴じ桿６、６に綴じられたシートＳを押さえるのみならず、綴じ桿６、６の両リング片３、３、４、４を閉じた状態に確実にロックするためにも有効に機能する。
【００３０】
前記本体に前記複数の綴じ桿６、６の一方を挿入可能な第一の開口５１と他方を挿入可能な第二の開口５２とを設け、第一の開口５１の外方縁部５１３及び第二の開口５２の外方縁部５２１を前記一対の縁部に設定して、前記第二の開口５２に挿入した綴じ桿６を軸として前記本体の一端を回転操作可能とし、かつ、前記第一の開口５１の外方縁部５１３に前記開放領域Ｏ及び前記挟圧領域Ｈを形成するならば、本体の一端側を片手で把持して操作できる簡便なものとなる。
【００３１】
そして、上記のシート押さえ部材５と対向する複数の綴じ桿６、６とを具備してなり、前記綴じ桿６、６にシートＳを綴じることができ、かつ綴じ桿６、６に綴じたシートＳを前記シート押さえ部材５で押さえることができる綴じ具Ｔ、または、上記のシート押さえ部材５と対向する複数の綴じ桿６、６とを具備する綴じ具Ｔを表紙体１に取り付けてなり、前記綴じ桿６、６にシートＳを綴じることができ、かつ綴じ桿６、６に綴じたシートＳを前記シート押さえ部材５で押さえることができるファイルＦを構成するならば、複数枚のシートＳを綴じ止めるために特に適したものとなる。
【００３２】
なお、本発明は以上に詳述した実施形態に限られるものではない。例えば、図１０に示すように、本体に設けた開口５１の外方縁部５１３の挟圧領域Ｈの傍らに、該挟圧領域Ｈ及び挟圧領域Ｈの周辺の領域の弾性変形を惹起できるような肉盗み５４を形成することも好ましい。さらに、該挟圧領域Ｈに対向する内方縁部５１４の傍らに肉盗み５５を形成してもよい。
【００３３】
また、上記実施形態では、シート押さえ部材５の本体の一端を綴じ桿６に対して変位させる（即ち、回転させる）ものとしていたが、本体の両端を綴じ桿６、６に対して変位させるものとすることもできる。図１１及び図１２に示す本発明の一変形例において、第一の開口５６及び第二の開口５７は、本体の長手方向に沿って離間した一対の長孔である。これら第一の開口５６及び第二の開口５７のそれぞれに、対向する一対の綴じ桿６、６が挿入される。当該変形例における表紙体１、綴じ具Ｔの具体的構成は、上記実施形態におけるものと同様とする。しかして、第一の開口５６及び第二の開口５７に第一のリング片３、３を挿入した状態で、これら開口５６、５７における、一対の綴じ桿６、６の対向方向に沿って外方にある外方縁部５６ａ、５７ａのそれぞれに開放領域Ｏ、Ｏ及び挟圧領域Ｈ、Ｈが形成されている。即ち、第一の開口５６及び第二の開口５７の外方縁部５６ａ、５７ａは、これら開口５６、５７の延伸方向に沿って一方側から他方側に向かうにつれて互いに相寄るような形状に成形されており、その一方側に開放領域Ｏ、Ｏが、他方側に挟圧領域Ｈ、Ｈが設けられる。両開放領域Ｏ、Ｏ間の離間距離が一対の綴じ桿６、６の外法寸法Ｌよりも大きく、両挟圧領域Ｈ、Ｈ間の離間距離が一対の綴じ桿６、６の外法寸法Ｌと略同一かまたは該外法寸法Ｌより小さいことは言うまでもない。
【００３４】
このシート押さえ部材５を用いるに際しては、開放領域Ｏ、Ｏを背表紙１１または第二のリング片４、４に近い側、挟圧領域Ｈ、Ｈを背表紙１１または第一のリング片３、３に遠い側に配した上で、第一のリング片３、３を第一の開口５６及び第二の開口５７に挿入する。図１１に示すように、第一のリング片３、３の外側面が両開口５６、５７の外方縁部５６ａ、５７ａにおける開放領域Ｏ、Ｏに臨むとき、シート押さえ部材５の本体を第一のリング片３、３の軸心に沿って移動させることが可能な可動状態となる。シート押さえ部材５の本体の両端を、第一のリング片３、３の軸心に略直交する平面上で、一対の綴じ桿６、６の対向方向に略垂直に変位させる操作を行うと、第一のリング片３、３の各外側面に開口５６、５７の外方縁部５６ａ、５７ａがそれぞれ摺動して、しかる後図１２に示すようにその挟圧領域Ｈ、Ｈが第一のリング片３、３に密接して第一のリング片３、３の各外側面を挟み付ける状況となる。このとき、本体の第一のリング片３、３の軸心に沿った移動が抑制される固定状態となる。
【００３５】
以上に述べた変形例によれば、シートＳを押さえる本体に前記複数の綴じ桿６、６を挿入可能な開口５６、５７を設けてなり、前記開口５６、５７に、前記複数の綴じ桿６、６の対向方向に沿って両側よりこれら綴じ桿６、６の各外側面に臨む一対の縁部たる外方縁部５６ａ、５７ａを設定し、該外方縁部５６ａ、５７ａに、外方縁部５６ａ、５７ａ間距離が一対の綴じ桿６、６の外法寸法Ｌよりも大きくなる開放領域Ｏ、Ｏと、外方縁部５６ａ、５７ａ間距離が前記外法寸法Ｌと略同一または前記外法寸法Ｌよりも小さくなる挟圧領域Ｈ、Ｈとを形成して、前記本体の両端を前記綴じ桿６、６に対し前記対向方向に交わる方向に変位させることで、前記開放領域Ｏ、Ｏを綴じ桿６、６に臨ませ本体の綴じ桿６、６の軸心に沿った移動を許容する可動状態と、前記挟圧領域Ｈ、Ｈを綴じ桿６、６に密接させ両外方縁部５６ａ、５７ａで前記各外側面を両側より挟み付けて前記移動を抑制する固定状態とを切り替えることができるシート押さえ部材５を構成したため、綴じ桿６、６の対向方向に沿ってスライド操作させなくともよいものとなり、シート押さえ部材５を固定したり再び動かしたりする際にリング片３、３、４、４の両先端部３１、３１、４１、４１の係合が不用意に解除されるおそれを回避できる。かつ、前記一対の縁部５６ａ、５７ａで複数の綴じ桿６、６の各外側面を挟み付けた状態で固定されるため、シート押さえ部材５の一端側が他端側に対して上下動してしまうことを防止し得る。
【００３６】
さらに、前記綴じ桿６、６が、第一のリング片３、３と第二のリング片４、４とを有し、これらリング片３、３、４、４の両先端部３１、３１、４１、４１間を閉じることで前記シートＳを綴じることができるものであって、前記開口５６、５７には前記第一のリング片３、３を挿入する構成とするとともに、前記可動状態から前記固定状態に切り替えようとするときに前記本体の両端を前記第一のリング片３、３に対し変位させる方向が、第一のリング片３、３の先端部３１、３１を前記第二のリング片４、４の先端部４１、４１に近づける方向に略対応しているため、シート押さえ部材５を固定しようとするときに該シート押さえ部材５から第一のリング片３、３に加わる外力によって第一のリング片３、３の先端部３１、３１が第二のリング片４、４の先端部４１、４１より脱離してしまうようなことがない。
【００３７】
加えて、前記両先端部３１、３１、４１、４１の係合は、前記複数の綴じ桿６、６における前記第二のリング片４、４を相互に接近させる力を付与することで、または、前記複数の綴じ桿６、６における前記第一のリング片３、３を相互に離間させる力を付与することで解除されるものであって、前記本体が前記固定状態にあるときに前記両外方縁部５６ａ、５７ａが挟み付ける前記複数の綴じ桿６、６に加わる力を、前記両先端部３１、３１、４１、４１の係合を強めるために利用できるものであるため、綴じ桿６、６に綴じられたシートＳを押さえるのみならず、綴じ桿６、６の両リング片３、４を閉じた状態に確実にロックするためにも有効に機能する。
【００３８】
その上で、前記本体に前記複数の綴じ桿６、６の一方を挿入可能な第一の開口５６と他方を挿入可能な第二の開口５７とを設け、第一の開口５６の外方縁部５６ａ及び第二の開口５７の外方縁部５７ａを前記一対の縁部に設定して、前記本体の両端を前記綴じ桿６、６に対しスライド操作可能とし、かつ、前記第一の開口５６及び前記第二の開口５７の外方縁部５６ａ、５７ａにそれぞれ前記開放領域Ｏ、Ｏ及び前記挟圧領域Ｈ、Ｈを形成したため、綴じ桿６、６の対向方向に交わる方向へのスライド操作を通じて可動状態と固定状態とを選択的にとり得るものとなっている。
【００３９】
その他各部の具体的構成は上記実施形態には限られず、本発明の趣旨を逸脱しない範囲で種々変形が可能である。
【００４０】
【発明の効果】
以上に詳述した本発明によれば、シート押さえ部材を綴じ桿に固定したり、逆に固定したシート押さえ部材を再び動かしたりする際に、リング片の両先端部の係合が解除されて綴じ桿が不用意に開いてしまうおそれを回避できる。また、綴じ桿に固定したはずのシート押さえ部材の一端側が他端側に対して上下動し、シート押さえ部材が傾斜してシートを押さえる働きを低減させてしまうようなことがない。従って、リングファイルとともに用いられるために好適なシート押さえ部材を実現できる。
【図面の簡単な説明】
【図１】本発明の一実施形態におけるファイルの全体斜視図。
【図２】同実施形態における綴じ具の要部斜視図。
【図３】ファイルの要部断面図。
【図４】綴じ具の要部後面図。
【図５】同要部後面図。
【図６】同実施形態におけるシート押さえ部材の斜視図。
【図７】シート押さえ部材を装着した綴じ具の平面図。
【図８】シート押さえ部材を装着した綴じ具の平断面図。
【図９】同平断面図。
【図１０】シート押さえ部材の一変形例を示す平面図。
【図１１】シート押さえ部材を装着した綴じ具の平断面図。
【図１２】同平断面図。
【符号の説明】
５…シート押さえ部材
５１、５２…開口
５１３、５２１…一対の縁部
Ｏ…開放領域
Ｈ…挟圧領域
Ｔ…綴じ具
６…綴じ桿
Ｌ…外法寸法
【図１】
2005022110.tif 000003
【図２】
2005022110.tif 000004
【図３】
2005022110.tif 000005
【図４】
2005022110.tif 000006
【図５】
2005022110.tif 000007
【図６】
2005022110.tif 000008
【図７】
2005022110.tif 000009
【図８】
2005022110.tif 000010
【図９】
2005022110.tif 000011
【図１０】
2005022110.tif 000012
【図１１】
2005022110.tif 000013
【図１２】
2005022110.tif 000014